(57)【要約】【課題】接種対象者側の希望や制約条件を考慮して予防接種の最適スケジューリング及びリスケジューリングを行うシステムを提供する。【解決手段】予防接種スケジュール作成装置１は、スケジュール作成のための制約条件を含む予防接種に関する情報を格納する予防接種情報データベース１１２と、医療機関端末２の入力手段を介して入力された任意的条件を含む情報とともに予防接種のスケジュール作成要求あるいは変更要求を医療機関端末２から受信する手段と、任意的条件および予防接種情報データベース１１２から抽出した情報に基づいて予防接種スケジュールの作成あるいは更新を行う手段と、スケジュール結果を医療機関端末２に送信する手段を備える。【選択図】図１
2014096001.tif 000002
【特許請求の範囲】
【請求項１】
予防接種スケジュール作成装置と、当該予防接種スケジュール作成装置にインターネットを介して接続する医療機関端末とから構成されるシステムであって、
前記予防接種スケジュール作成装置は、
スケジュール作成のための制約条件を含む予防接種に関する情報を格納する予防接種情報データベースと、
前記医療機関端末の入力手段を介して入力された情報と、予防接種のスケジュール作成要求あるいはスケジュール変更要求を前記医療機関端末から受信するスケジュール作成要求受信手段と、
前記入力された情報および前記予防接種情報データベースから抽出した情報に基づいて予防接種のスケジュールの新規作成あるいは更新を行い、スケジュール結果を所定の箇所に格納するスケジュール作成手段と、
前記作成あるいは更新されたスケジュール結果を前記医療機関端末に送信するスケジュール送信手段とを、
備えることを特徴とする予防接種スケジュール作成システム。
【請求項２】
前記予防接種スケジュール作成装置は、任意的条件の入力を容易とするための条件設定画面を前記医療機関端末に送信する条件設定画面提供手段を備え、
条件設定画面には、同時接種可能なワクチンの組合せパターンを選択させる画面が含まれることを特徴とする請求項１に記載の予防接種スケジュール作成システム。
【請求項３】
前記予防接種スケジュール作成装置は、インターネットを介して保護者端末と接続可能であるとともに、
前記保護者端末が前記スケジュール結果を取得するために必要な情報をコード化したデータコードを生成するデータコード生成手段を備え、
前記スケジュール送信手段は、前記生成されたデータコードをスケジュール結果と一緒に前記医療機関端末に送信することを特徴とする請求項１または２のいずれかに記載の予防接種スケジュール作成システム。
【請求項４】
前記保護者端末は、
前記医療機関端末の画面に表示された前記データコードを撮影する手段と、
該データコードから得られた情報を用いて前記予防接種スケジュール作成装置にアクセスし、前記スケジュール結果を取得する手段を備えることを特徴とする請求項３に記載の予防接種スケジュール作成システム。
【請求項５】
前記予防接種スケジュール作成装置は、さらに前記医療機関端末からメールアドレスを受信し、該メールアドレス宛てに作成あるいは更新したスケジュール結果を送信するメール連絡手段を備えることを特徴とする請求項１〜４のいずれか１に記載の予防接種スケジュール作成システム。
【請求項６】
予防接種スケジュール作成装置と、当該予防接種スケジュール作成装置にインターネットを介して接続する保護者端末とから構成されるシステムであって、
前記予防接種スケジュール作成装置は、
スケジュール作成のための制約条件を含む予防接種に関する情報を格納する予防接種情報データベースと、
前記保護者端末の入力手段を介して入力された情報と、予防接種のスケジュール作成要求あるいはスケジュール変更要求を前記保護者端末から受信するスケジュール作成要求受信手段と、
前記入力された情報および前記予防接種情報データベースから抽出した情報に基づいて予防接種のスケジュールの新規作成あるいは更新を行い、スケジュール結果を所定の箇所に格納するスケジュール作成手段と、
前記作成あるいは更新されたスケジュール結果を前記保護者端末に送信するスケジュール送信手段と、
任意的条件の入力を容易とするための条件設定画面を前記保護者端末に送信する条件設定画面提供手段とを備え、
条件設定画面には、同時接種可能なワクチンの組合せパターンを選択させる画面が含まれることを特徴とする予防接種スケジュール作成システム。
【請求項７】
予防接種のスケジュール作成のための制約条件を含む予防接種に関する情報を格納する予防接種情報データベースと、
医療機関端末の入力手段を介して入力された情報と、予防接種のスケジュール作成要求あるいは変更要求を前記医療機関端末から受信するスケジュール作成要求受信手段と、
前記入力された情報および前記予防接種情報データベースから抽出した情報に基づいて予防接種のスケジュールの新規作成あるいは更新を行い、スケジュール結果を所定の箇所に格納するスケジュール作成手段と、
前記作成あるいは更新されたスケジュール結果を前記医療機関端末に送信するスケジュール送信手段とを、
備えることを特徴とする予防接種スケジュール作成装置。
【請求項８】
任意的条件の入力を容易とするための条件設定画面を前記医療機関端末に送信する条件設定画面提供手段をさらに備え、
条件設定画面には、同時接種可能なワクチンの組合せパターンを選択させる画面が含まれることを特徴とする請求項７に記載の予防接種スケジュール作成装置。
【請求項９】
インターネットを介して保護者端末と接続可能であり、
該保護者端末が前記スケジュール結果を取得するために必要な情報をコード化したデータコードを生成するデータコード生成手段を備え、
前記スケジュール送信手段は、前記生成されたデータコードをスケジュール結果と一緒に前記医療機関端末に送信することを特徴とする請求項７または８のいずれかに記載の予防接種スケジュール作成装置。
【請求項１０】
前記医療機関端末からメールアドレスを受信し、該メールアドレス宛てに作成あるいは更新したスケジュール結果を送信するメール連絡手段をさらに備えることを特徴とする請求項７〜９のいずれか１に記載の予防接種スケジュール作成装置。
【請求項１１】
予防接種のスケジュール作成のための制約条件を含む予防接種に関する情報を格納する予防接種情報データベースと、
保護者端末の入力手段を介して入力された情報と、予防接種のスケジュール作成要求あるいは変更要求を前記保護者端末から受信するスケジュール作成要求受信手段と、
前記入力された情報および前記予防接種情報データベースから抽出した情報に基づいて予防接種のスケジュールの新規作成あるいは更新を行い、スケジュール結果を所定の箇所に格納するスケジュール作成手段と、
前記作成あるいは更新されたスケジュール結果を前記保護者端末に送信するスケジュール送信手段と、
任意的条件の入力を容易とするための条件設定画面を前記保護者端末に送信する条件設定画面提供手段とを備え、
条件設定画面には、同時接種可能なワクチンの組合せパターンを選択させる画面が含まれることを特徴とする予防接種スケジュール作成装置。
【請求項１２】
予防接種のスケジュール作成のための制約条件を含む予防接種に関する情報を格納する予防接種情報データベースにアクセス可能なコンピュータを、
医療機関或は保護者の端末の入力手段を介して入力された情報と、予防接種のスケジュール作成要求あるいはスケジュール変更要求を前記端末から受信するスケジュール作成要求受信手段、
前記入力された情報および前記予防接種情報データベースから抽出した情報に基づいて予防接種のスケジュールの新規作成あるいは更新を行い、スケジュール結果を所定の箇所に格納するスケジュール作成手段、
前記作成あるいは更新されたスケジュール結果を前記端末に送信するスケジュール送信手段として機能させることを特徴とする予防接種スケジュール作成プログラム。
【発明の詳細な説明】
【技術分野】
【０００１】
接種対象者側の希望や制約条件を考慮して予防接種の最適スケジューリング及びリスケジューリングを行うシステムに関する。
【背景技術】
【０００２】
従来予防接種のスケジュールは医師、看護師などが手作業で作成していた。しかし、ワクチンの種類や接種可能期間、ワクチン間の接種間隔など守らなくてはならない条件が多岐に渡るためスケジュール作成作業は煩雑であり、多忙を極める医療関係者の負担となっていた。そのため、コンピュータを利用してシステム化しようとするニーズが生ずるのは当然である。このような問題意識のもと、特許文献１にはコンピュータを用いて予防接種の計画支援を提供し、医学の専門知識のない多くの保護者の負担を軽減することを目的とした、「小児予防接種の計画支援システム及び代行予約システム」が開示されている。
【先行技術文献】
【特許文献】
【０００３】
【特許文献１】特開２００７−１８３３７号公報
【特許文献２】特開２０１２−５９１５５号公報
【発明の概要】
【発明が解決しようとする課題】
【０００４】
しかしながら、特許文献１に記載の技術は、複数のワクチンの同時接種を考慮していないこと、新規ウィルスの出現による新規ワクチンの追加が想定されていないこと、という問題があった。
そのため、本出願人は、利用開始時点でユーザの種々の任意的条件を考慮して最適な予防接種スケジュールを立てること、且つその後のユーザの変更希望に合わせて柔軟にスケジュールを変更すること、を目的とし特許文献２に記載の発明を出願している。この発明は、接種対象である乳幼児の保護者がシステム管理装置（スケジュール作成・更新処理を実行する）にアクセスして、任意的な条件（例：同時接種を選択するか否か）を入力して作成・更新されたスケジュール結果を取得するものである。これにより保護者の意向が反映できる。また、予定の接種日が近づいたならばシステム管理装置からメールでメッセージが届いたりする機能も付加されており、乳幼児の保護者にとって有用なシステムである。
【０００５】
ところで、医薬や医療には人は誰でも神経質になる。乳幼児についてなら尚更である。「制約条件を考慮して任意的条件をシステムに入力すること」は大抵の保護者にとっては相当に難しく医師や看護師の助言が必要となる。また、乳幼児の場合、保護者はなにかと小児科にかかるものである。そして医療機関を訪れてもただちに診察の順番がくることは少なく、待合室での待ち時間も小さくない。本出願人はこの二つの事情を結び付けようと考えた。
即ち、医療機関に備えられた端末装置を用いてサーバにアクセスし、サーバで作成・更新されたスケジュールを受信するシステムである。受信したスケジュールは自分の端末に移せば良い。これならば、待合室での待ち時間を活用して医師や看護師に適宜助言を求めて適切なスケジュールを作ることができる。
【０００６】
さらに本発明は、保護者が同時接種のパターンを容易に選択できるようにすることも目的とする。
例えばＤＴＰ，Ｈｉｂ，肺炎球菌７価、ロタウィルスワクチン、ポリオ（不活化）等のワクチンはいずれも乳幼児の早期免疫確立の観点からすべて接種が望ましく、可能な時期に可能なワクチンの接種を終えることが推奨されている。各ワクチンはそれぞれ数回接種するので、これらを単独接種するならば、一定の投与間隔が必要だから全体として接種期間も長くなり保護者にとって相当な負担となる。同時接種はその点、必要とされるワクチンの早期の接種が可能となり、しかも同時接種による副反応が増すことはないと考えられているので合理的である。平成２４年１１月から不活化ポリオを含んだ4種混合となるので、同時接種はますます推奨されるはずであり、すでに欧米では同時接種が標準となっている。
したがって、本発明は日本においても今後標準となると予想される同時接種を組み込んだスケジュールの作成に適したシステムの提供も目的とする。
【課題を解決するための手段】
【０００７】
上記の目的を達成するために、本発明は、
予防接種スケジュール作成装置と、当該予防接種スケジュール作成装置にインターネットを介して接続する医療機関端末とから構成されるシステムであって、
前記予防接種スケジュール作成装置は、
スケジュール作成のための制約条件を含む予防接種に関する情報を格納する予防接種情報データベースと、
スケジュール作成要求受信手段とスケジュール作成手段とスケジュール送信手段とを、備えることを特徴とする。
スケジュール作成要求受信手段は、前記医療機関端末の入力手段を介して入力された情報と、予防接種のスケジュール作成要求あるいはスケジュール変更要求を前記医療機関端末から受信する。
スケジュール作成手段は、前記入力された情報および前記予防接種情報データベースから抽出した情報に基づいて予防接種のスケジュールの新規作成あるいは更新を行い、スケジュール結果を所定の箇所に格納する。
スケジュール送信手段は、前記作成あるいは更新されたスケジュール結果を前記医療機関端末に送信する。
「スケジュール作成のための制約条件」とは、例えば、ワクチン間の接種間隔・同時接種可能なワクチンの種類・季節性ワクチンの接種時期等、恣意的な変更が許されない条件のことである。なおこれに対して「任意的条件」とは医師・保護者などによる指定が可能な条件のことである。
スケジュール結果を格納する「所定の箇所」とは、例えばユーザ毎のフォルダ或はユーザ毎に作成されたウェブページなどがある。
【０００８】
この発明により、次の効果が生ずる。
予防接種のスケジュール作成処理には、定められた制約条件に従ってシステム化が容易な部分と、任意性があって最適解を求めるのが困難な部分とが混在している。この困難な部分が処理全体の３０％位を占めると実験的に考えられており、コンピュータ処理による自動化が困難視されていた。しかし本発明では、足枷となっていたこの困難な部分を医療機関端末から接種対象者の保護者に入力させることで、スケジュール作成の自動化が容易となり、従来の人手による作業に置き換わるものとなった。この場合、医師・看護師などによる助言が極めて有効である。このスケジュール作成の自動化は、人手による作業に生じがちな誤認やミスが防止でき、コンプライアンスを高めることができるという効果ももたらした。
【０００９】
上記の目的を達成するために、前記予防接種スケジュール作成装置は、任意的条件の入力を容易とするための条件設定画面を前記医療機関端末に送信する条件設定画面提供手段を備え、条件設定画面には、同時接種可能なワクチンの組合せパターンを選択させる画面が含まれることが好ましい。
これにより、次の効果が生ずる。すなわち、同時接種可能なワクチンがＮ種類あるとすると、１回に１種類からＮ種類までのＮとおりの接種パターンがある。個々の医師による専門的判断、個々の保護者の意向などを考慮すると同時接種可能なワクチンの接種の組合せパターンは多数にのぼる。これらすべての場合をシステム側で提示し、保護者にいずれか１とおりを選択させることは現実的でない。あまりに多数の場合が列挙されているのでは、各接種パターン間の違いがわからず、いずれを選択してよいか迷うおそれがある。そのため、同時接種を含むスケジュール作成のコンピュータプログラムによる自動化は敬遠されてきた。しかし、本発明では、これらのワクチンを画面上に見易く表示し、簡単な操作で接種パターンを選択させることで、多数の接種パターンを含む複雑なスケジュールを、簡単かつ確実な形で作成することが可能となる。医師の判断や保護者の意向を取り入れながら同時接種を含むスケジュールが作成できるので、同時接種するワクチンの組み合わせによる安全性もより確保できるようになる。
【００１０】
上記の目的を達成するために、前記予防接種スケジュール作成装置は、インターネットを介して保護者端末と接続可能であるとともに、前記保護者端末から前記スケジュール結果を取得するために必要な情報（例：ユーザ専用のウェブページが作成されており、このウェブページからスケジュール結果を閲覧できるならば、このウェブページのＵＲＬ）をコード化したデータコードを生成するデータコード生成手段を備え、前記スケジュール送信手段は、前記生成されたデータコードをスケジュール結果と一緒に前記医療機関端末に送信することが好ましい。また、前記保護者端末は、前記医療機関端末の画面に表示された前記データコードを撮影する手段と、該データコードから得られた情報を用いて前記予防接種スケジュール作成装置にアクセスし、前記スケジュール結果を取得する手段を備えることが好ましい。
「データコード」とは、ＱＲコード（登録商標）などの２次元コードでも、１次元のバーコードでもよい。ただし、以下の実施の形態ではデータコードとしてＱＲコードが使用されるものとして説明する。
これにより、保護者にとっては、スケジュール結果を印刷しなくても、保護者端末でデータコードを読み取っておいて、都合のよいときに予防接種スケジュール作成装置からスケジュール結果を直接ダウンロードできるという利便性がある。医療機関にとっても、プリンタと印刷用紙を備えることなく医療機関端末だけを備えておけばよいのでコストを節減できるという効果がある。
【００１１】
上記の目的を達成するために、前記予防接種スケジュール作成装置は、さらに前記医療機関端末からメールアドレスを受信し、該メールアドレス宛てに作成あるいは更新したスケジュール結果を送信するメール連絡手段を備えることが好ましい。
保護者端末にカメラ機能が備わっていなければＱＲコードなどのデータコードを撮影できないが、本機能があれば、スケジュール結果をメールを通して入手でき、印刷しなくて済む。
【００１２】
上記の目的を達成するために、本発明は、予防接種スケジュール作成装置と、当該予防接種スケジュール作成装置にインターネットを介して接続する保護者端末とから構成されるシステムであって、
前記予防接種スケジュール作成装置は、予防接種情報データベースと、スケジュール作成要求受信手段と、スケジュール作成手段と、スケジュール送信手段と、条件設定画面提供手段とを備え、医療機関端末に代わり直接保護者端末から入力情報の送信を受け、スケジュール結果を直接保護者端末に送信することを特徴とする。
【発明の効果】
【００１３】
本発明によれば、ユーザフレンドリな入力画面を介して任意的な条件を保護者などに入力させることにより、従来曖昧であった条件を確実に取得できるので人手を介して作成する場合と同様の実用に耐えうるスケジュールが作成できる。
また、同時接種のパターン選択を容易にしたので、同時接種が標準的となりつつある現状に適合したスケジュール作成システムを提供できる。
【図面の簡単な説明】
【００１４】
【図１】第１の実施の形態に係るシステムの構成および予防接種スケジュール作成装置の機能ブロック例を示す図である。
【図２】第１の実施の形態に係る医療機関データベースのデータ構成例を示す図である。
【図３】第１の実施の形態に係る予防接種情報データベースのデータ構成例を示す図である。
【図４】第１の実施の形態に係る予防接種情報データベースのデータ構成例を示す図である。
【図５】第１の実施の形態に係るユーザ情報データベースのデータ構成例を示す図である。
【図６】第１の実施の形態に係るスケジュール作成要求からユーザによるスケジュール取得までの一連の処理フローを示す図である。
【図７】第１の実施の形態に係るシステムへのログイン時の画面例を示す図である。
【図８】第１の実施の形態に係るユーザ登録用の画面例を示す図である。
【図９】第１の実施の形態に係るユーザによる任意的条件入力用の画面例を示す図である。
【図１０】第１の実施の形態に係るユーザによる任意的条件入力用の画面例を示す図である。
【図１１】第１の実施の形態に係るユーザによる任意的条件入力用の画面例を示す図である。
【図１２】第１の実施の形態に係るユーザによる任意的条件入力用の画面例を示す図である。
【図１３】第１の実施の形態に係るスケジュール結果の表示画面例を示す図である。
【図１４】第２の実施の形態に係るスケジュール作成要求からユーザによるスケジュール取得までの一連の処理フローを示す図である。
【発明を実施するための形態】
【００１５】
《第１の実施形態》
本発明の一実施の形態のシステムについて、図面を参照しながら説明する。
【００１６】
図１は、予防接種スケジュール作成システムＳ（以下、「本システムＳ」）の構成例を示すブロック図である。本システムＳは、予防接種スケジュール作成装置１と、医療機関端末２と、保護者端末３と、により構成される。
本システムＳは、予防接種スケジュール作成装置１と、インターネットＮを介してアクセスした医療機関端末２との会話型処理によって、予防接種スケジュール作成装置１がスケジュールを作成する。このスケジュール結果は、保護者端末３でも取得可能であるが、保護者端末３は会話型処理には関与しない。つまり、どちらの端末（２、３）も操作するのは保護者なのである。
なお、この実施形態は予防接種を受ける対象として乳幼児を想定している。そのため、本システムＳのユーザはこれらの乳幼児の保護者である。この保護者を、本明細書では「ユーザ」ともいう。
【００１７】
医療機関端末２は、医療機関の待合室などに備えられ患者や保護者による使用に供される端末であり、インターネット接続手段と入力手段と画面表示手段を備えているならばパソコンでもタブレット端末でも何でもよい。
入力手段は、キーボード、マウスのほかに操作入力部と表示部を兼ねたタッチパネルでもよい。
出力手段としては表示画面があれば十分であり、プリンタは省略可能である。なぜなら、本システムＳでは、作成されたスケジュール結果は保護者端末３に保存されることを前提としているので、医療機関側でスケジュール結果を印刷して渡すには及ばないからである。
【００１８】
保護者端末３は、本システムＳのユーザすなわち保護者が利用する端末である。この保護者端末３は、表示部を兼ねたタッチパネルや入力キーなどの入力手段や、画面表示手段を備えるとともに、予防接種スケジュール作成装置１からのメールを受信したり、予防接種スケジュール作成装置１の提供するユーザ専用のウェブサイトにアクセスしたりするため、メール受信機能、インターネット接続機能を備えた携帯電話（スマートフォンとも呼ばれる多機能携帯電話を含む）であることが望ましい。さらに医療機関端末２の画面に表示されているＱＲコードを撮影するためのカメラ機能を備えていることが望ましい。
【００１９】
予防接種スケジュール作成装置１は、本システムＳを提供したり運営したりする事業者が備える装置である。予防接種スケジュール作成装置１は、演算機能を有するＣＰＵ（Central Processing Unit）、作業用ＲＡＭ（Random Access Memory）、各種データ及びプログラム（本発明の予防接種スケジュール作成プログラムを含む）を記憶するＲＯＭ（Read Only Memory）などの内部メモリ、及びハードディスクドライブなどの外部記憶装置により、記憶部１１、制御部１２を構成する。他に、インターネットを含む各種ネットワークを介して医療機関端末２や保護者端末３などと通信を行うための通信インターフェース部１３、キーボード、マウス、操作パネル等の入力部（図示せず）、ディスプレイ、プリンタなどの出力部（図示せず）も備える。
なお、図１では、１台しか記載がないが、１台でその処理を実行するとは限らず、複数の情報処理装置が連携してその処理を実行してもよい。例えば、記憶部１１は、内蔵するハードディスクやケーブルで接続する外付けハードディスクに設けてもよいが、予防接種スケジュール作成装置１とは別のコンピュータをデータベースサーバとして用いてもよい。
【００２０】
記憶部１１は、医療機関データベース１１１（以下、「医療機関ＤＢ１１１」）、予防接種情報データベース１１２（以下、「予防接種情報ＤＢ１１２」）、ユーザ情報データベース１１３（以下、「ユーザ情報ＤＢ１１３」）等を記憶する。
【００２１】
医療機関ＤＢ１１１には、本システムＳが提供する予防接種スケジュール作成サービスの提供を受けるために会員登録等をしている医療機関情報が登録されている。図２に例示するように、医療機関ＩＤと対応づけて医療機関の名称、住所、電話番号、電子メールアドレス等とともに医療機関端末２の端末ＩＤが登録されている。
【００２２】
予防接種情報ＤＢ１１２には、予防接種のスケジュールを作成するために必要となるさまざまな情報が登録されている。図３と図４に例示するように、登録されている情報には、ワクチン別の接種回数、他のワクチンとの同時接種の可否、予防接種が必須か任意の別、不活化ワクチンと生ワクチンの別、ワクチン間の間隔、流行ワクチンの摂取期間などが含まれる。このような制約条件以外に、予防接種情報ＤＢ１１２には自治体別の集団接種日などの任意的条件も適宜含むものとする。
データベースに格納される情報のデータ構成は、予防接種スケジュール作成処理のアルゴリズムに依存する。
【００２３】
ユーザ情報ＤＢ１１３には、図５に例示するように、ユーザＩＤと対応づけて接種対象である乳幼児の生年月日と性別と当該ユーザの予防接種スケジュール結果を格納する場所を含む情報が登録されている。ユーザが自分の予防接種スケジュール結果を閲覧できるようにするため、ユーザ別のウェブページを作成し、このウェブページのＵＲＬを登録してもよく、スケジュール結果そのものを登録してもよい。
個人情報保護の観点から乳幼児および保護者の氏名や住所の登録は省略することが好ましい。ただし、スケジュール結果をメールで受信することを希望する保護者もいるので、この場合は電子メールアドレスも登録する。
【００２４】
制御部１２は、本発明のスケジュール作成要求受信手段１２１、スケジュール作成手段１２２、データコード生成手段１２３、スケジュール送信手段１２４、条件設定画面提供手段１２５、メール連絡手段１２６として機能する。
【００２５】
スケジュール作成要求受信手段１２１は、医療機関端末２の入力手段を介して送られてきたスケジュール作成要求あるいは変更要求を、関連入力情報、医療機関端末２の端末ＩＤと共に受信する。
スケジュール作成手段１２２は、医療機関端末２から受信した入力情報および予防接種情報ＤＢ１１２から抽出した情報に基づいて予防接種のスケジュールの作成を行う。ユーザの初回の利用（スケジュール作成要求）の場合、ユーザＩＤを生成し、ユーザの生年月日や性別をユーザＩＤと対応づけてユーザ情報ＤＢ１１３に登録する。あわせてユーザ専用のウェブページを作成する。ユーザの利用が２回目以降であれば、医療機関端末２から送信された入力情報及び予防接種情報ＤＢ１１２及び作成済の直近スケジュール結果に基づき、スケジュールの更新を行う。作成済のスケジュール結果は、実際の接種履歴やユーザによる変更（例：個別接種から同時接種への選択変更）、さらには行政の方針の変更（例：平成２４年にポリオが従来の生ワクチンから不活化ワクチンへ変更となった）等によって変更が必要となる。
データコード生成手段１２３は、保護者端末３から専用ウェブページにアクセスするために必要なＵＲＬなどの情報がコード化されたＱＲコードを生成する。
スケジュール送信手段１２４は、作成あるいは更新されたスケジュールおよびデータコードを医療機関端末２に送信する。
条件設定画面提供手段１２５は、ユーザによる入力を容易とするための条件設定画面を医療機関端末２に送信する。この条件設定画面は予め作成してあったＨＴＭＬファイル等を記憶部１１から取り出してもよいし、医療機関端末２からの画面送信要求の都度作成してもよい。
メール連絡手段１２６は、医療機関端末２から保護者のメールアドレスを受信し、該メールアドレス宛てに作成した予防接種のスケジュールを送信する。
【００２６】
次に、図６の処理フローに従い、予防接種スケジュール作成処理について説明する。
この処理は、ユーザによって医療機関端末２からの入力情報及び作成処理要求を受信したときに予防接種スケジュール作成装置１が実行し、医療機関端末２に実行結果であるスケジュールを送信し、医療機関端末２の画面に表示させるとともに、ユーザは自分の保護者端末３にもスケジュールを取得する処理である。
【００２７】
ユーザは医療機関端末２から予防接種スケジュール作成装置１のサービスを利用するためのアプリケーションソフトを立ち上げる。このアプリケーションソフトは医療機関が本システムＳの事業者と契約時に入手したものであり、入手時に医療機関のＩＤが生成され、医療機関ＤＢ１１１に必要な情報が登録済であるものとする。医療機関端末２の画面には図７に例示するようなウェブページが表示されるので、認証情報としてユーザＩＤとパスワードを入力し予防接種スケジュール作成装置１に送信する（ステップＳ１）。ここで医療機関端末ＩＤが自動的に送信される。「自動的」とはユーザによる入力操作によることなく、医療機関端末２から通信先の予防接種スケジュール作成装置１に透過的に送信されることを意味する。なお、医療機関端末２側にアプリケーションソフトを実装せずに、予防接種スケジュール作成装置１が本システムのために開設しているウェブサイトにアクセスして医療機関端末２から操作できる仕組みであってもよい。
【００２８】
ユーザＩＤとパスワードは予めこのサービスの利用登録を申し込んだときに取得・設定したものでもよく、初めてこのサービスを利用する際に予防接種スケジュール作成装置１によってユーザＩＤを生成してもらい、パスワードを設定してもよい。予防接種スケジュール作成装置１は認証情報によりユーザ認証を行うとともに、同時に送信されてきた医療機関端末２の端末ＩＤが医療機関ＤＢ１１１に登録済であることを確認したうえで図８に例示するような登録用ページの送信をする（ステップＳ２）。
【００２９】
図８の画面を介してユーザは接種対象者である乳幼児の情報を入力する（ステップＳ３）。入力するのは生年月日と性別などの最小限にとどめる。本システムＳの事業者側に乳幼児の詳細な個人情報を送信することにためらう保護者がいることに配慮したものである。このため、保護者は本発明のシステムＳが民間の業者によって運営されていたとしても、個人情報の漏洩を心配せずに安心して利用できる。
【００３０】
入力情報が送信される（ステップＳ４）と、予防接種スケジュール作成装置１はこれらの情報がユーザ情報ＤＢ１１３に未登録であれば登録する。登録済であれば、送信されてきた情報とユーザ情報ＤＢ１１３に登録済の情報と照合する。照合エラーなどがあれば、予め定めたところに従い処理をする。
【００３１】
そして、ユーザによる各種の条件を入力するための画面データを送信する（ステップＳ５）。ユーザは医療機関端末２の画面に表示された入力用画面を介して条件を入力する（ステップＳ６）。入力に際して、適宜医師や看護師の助言を受けることもあるし、看護師などがユーザの意思を確認しながら入力操作を行うこともありうる。入力された情報は予防接種スケジュール作成装置１側へ送信される（ステップＳ７）。
【００３２】
このステップＳ５〜Ｓ７までの処理は必要回数だけ繰り返される。このループの中で入力を促される画面を図９から図１２に例示する。図９に示すのは、接種するワクチンと接種しないワクチンをユーザに指定させる画面である。ＢＣＧのように接種が義務付けられているワクチンであっても、既に接種を終えているならばチェックを外す。医薬の専門知識のあるユーザ以外は、接種が任意のワクチンなどはチェックを入れるか外すか迷うところである。この場合、医師や看護師などに質問をすればよい。このように専門家のアドバイスを必要に応じて受けることができるので、ユーザは安心して入力できる点が、本システムＳの大きな利点である。
【００３３】
図１０には、ＤＴＰ（３種混合）とＢＣＧのいずれを優先的に接種するかを指定する画面を、図１１には、ＢＣＧを個別接種するか集団接種するかを指定する画面を示している。
入力条件として集団接種を選択した場合は、集団接種日をユーザに入力させることが適当である。これにより、本システムＳの事業者および医療機関にとっての負担が軽くなる。なぜなら、予防接種日は接種対象者の居住する自治体によって異なるので、予防接種スケジュール作成装置１が全国各自治体の集団接種日を洩れなくデータベースに登録しておくことは難しいからである。また、医療機関にはさまざまな自治体から患者が来院するので、医療機関が予防接種スケジュール作成装置１に自治体ごとの集団接種日を入力することは負担となるからである。
【００３４】
図１２に例示するのは同時接種可能なワクチンの組み合わせパターンをユーザに選択させるための画面である。
効率よく予防接種を受けるために、同時接種が可能なワクチンは同時に受けることが推奨されており、出願時（平成２４年１１月）には、１０種類以上のワクチンが同時接種可能とされている。（国立感染症研究所  日本の小児における予防接種スケジュール  http://www.nih.go.jp/niid/ja/vaccine-j/2525-v-schedule.html参照）
しかし、ここでは図面（図１２）の見易さと説明の簡便さを考慮し、ワクチンｖ１，ｖ２，ｖ３、ｖ４、ｖ５の５種類が同時接種可能であるものとして説明する。
図１２の画面（Ａ）では、ラジオボタンが縦１列にオンになっている。つまり、初期値として５種類のワクチンの同時接種が選択されている。しかし、医師はワクチンｖ３〜ｖ５をワクチンｖ１及びｖ２と同時接種することは好ましくないと判断し、画面（Ｂ）のように初期値を変更した。保護者は、ワクチンｖ４は単独接種を希望し、画面（Ｂ）の状態を変更して画面（Ｃ）に示すように変更した。つまり、画面（Ａ）に示すような同時接種が可能な５種類のワクチンという枠の中で、医師の専門的判断と保護者の意向とを反映した接種パターンをユーザフレンドリなインターフェースで指定することができる。
【００３５】
もし、このようなシステムとユーザとのインタラクティブな操作ができないとすると極めて煩雑である。５種類のワクチンを１種類ずつ個別接種することもできるし、いずれか２種類あるいは３種類あるいは４種類を同時接種することもできる。つまり、１回に１種類から５種類までの５とおりの接種パターンがある。また、１回に２種類を同時接種する場合、ワクチンの組み合わせは１０とおりある。さらに、いずれか２種類を同時接種後、後日残りの３種類を同時接種する、といったことも考慮しなくてはならない。システム側であらゆる場合を考慮して全接種パターンを提示し、ユーザにいずれかひとつを選択させなければならない。そのため、従来は個々の接種対象者に対応した予防接種スケジュールの作成は難しいと考えられていた。この点、誰でも簡単に使用が可能なＧＵＩ（Ｇｒａｐｈｉｃａｌ  Ｕｓｅｒ  Ｉｎｔｅｒｆａｃｅ）を介して接種対象者に個別の条件設定ができることとしたので、個別対応可能な予防接種スケジュールが効率的に作成できる。
同時接種可能なワクチンは図１２に例示する５種類どころか実際は１０種類以上もあることを考えると、ユーザに条件を入力させて接種パターンを決定する本システムは同時接種が推奨される現状にきわめて適しているといえる。
【００３６】
図示は省略したが、ロタウィルスワクチンの接種方法（ロタ１価かロタ５価のいずれかを選択）、不活化ポリオワクチンの接種方法（集団接種か個別接種のいずれかを選択）の選択画面などもあり、今後新規ワクチンの出現などによって種々の入力画面が追加されうる。
各画面毎の入力を終えたなら、直ちに入力された情報を予防接種スケジュール作成装置１に送信して、次の画面データを受信してもよいが、入力情報は医療機関端末２側に一時的に保存しておき、受信した全画面に入力し終えたなら、入力された全情報を一括して送信してもよい。
【００３７】
予防接種スケジュール作成装置１は、医療機関端末２から送信されてきた情報と予防接種情報ＤＢ１１２から取り出した情報に基づいてスケジュールを作成する（ステップＳ８）。これは、従来は看護師などが手作業で行っていた処理をシステム化したものである。
スケジュール作成のためのコンピュータによる処理は公知のアルゴリズム（例えば、本出願人による特開２０１２−５９１５５号に記載）によるので、説明は省略する。
【００３８】
ところで、予防接種スケジュールの自動作成は困難と考えられていたのは、スケジュール作成のための条件のかなりの部分をユーザによる任意的な条件が占めていたからである。例えば、本システムＳへの登録前にすでに何らかのワクチンの接種を受けているか否か、集団接種と個別接種のいずれを選択するか等である。各ユーザ固有の条件まで考慮してスケジュールを作成すれば処理は極めて煩雑になる。これが予防接種スケジュールのシステム化の障害となっていた。しかし本システムＳでは、図９から図１２に例示するような入力画面からの入力情報によって、システムはユーザ毎の条件を自動化処理に適する形で取得できることとなった。なお、ユーザに固有の病歴などの事情は考慮しない。これは接種時に医師に申告等すればよく、これらの例外的な個別事情まで考慮してスケジュールを作成することはアルゴリズムが複雑化するからである。
【００３９】
ステップＳ８において、ユーザ情報ＤＢ１１３を参照して作成済のスケジュールがあるときは、送信されてきた入力情報および予防接種情報ＤＢ１１２から取り出した情報に基づいて既存スケジュールを修正する。例えば、新規スケジュール作成時は同時接種を選択していたが、後日単独接種に変更を希望する、というような場合はスケジュールの更新が必要となる。また、作成済のスケジュールによれば接種予定日が経過しているにもかかわらず未接種であれば、このワクチンを予定の先頭におき、他のワクチンの接種予定日を繰り下げるなどのスケジュールの編集を行う。
【００４０】
ところで、ワクチンの優先度変更は既存スケジュールの変更だけでなく、新規スケジュール作成においてもシステムが自動的に行う処理である。以下、この点について付言する。各種の予防接種の接種基準や接種条件に従って、ワクチンＡ、ワクチンＢ，・・・の順に接種するスケジュールが作成されたとする。しかし、作成時の接種対象者の年齢によってはワクチンＢはその接種期間を経過しているといったことも起こりうる。そのため順番を入れ替えてワクチンＢをワクチンＡよりも優先させて接種する必要がある。このような場合、本発明の予防接種スケジュール作成プログラムは接種期間を経過しているときは、他のワクチンよりも優先度を繰り上げる処理を自動的に行い、最適なスケジュール作成を実現している。
【００４１】
では、ステップＳ８の説明に戻る。ステップＳ８では、作成したスケジュールを所定の箇所に格納し、その格納箇所を示すＵＲＬなどの情報をコード化したＱＲコードを生成する。なお、格納の仕方は複数考えられるが、ユーザ毎にウェブページを作成し、このウェブページからＰＤＦファイル、ＷＯＲＤ（マイクロソフト社の製品名）のファイルなどの形式でスケジュール結果が保存されたファイルを閲覧可能にすることも一つの方法である。
【００４２】
予防接種スケジュール作成装置１は医療機関端末２に作成したスケジュール結果とＱＲコードとを送信し（ステップＳ９）、医療機関端末２は受信したスケジュールとＱＲコードを図１３に例示するように画面表示する（ステップＳ１０）。
【００４３】
ユーザは保護者端末３のカメラ機能を用いて画面に表示されているＱＲコードを撮影する（ステップＳ１１）。保護者端末３に実装されているＱＲコード解析用アプリケーションソフトによって、撮影したＱＲコードの画像を解析してＵＲＬを求め、スケジュールが格納されたウェブサイトにアクセスする（ステップＳ１２）。専用サイトの画面データを受信（ステップＳ１３）したならば、これを保護者端末３の画面上に表示し、接種対象者の生年月日と性別、医療機関名などを確認し、スケジュール結果を保護者端末３のメモリに保存する（ステップＳ１４）。
【００４４】
このステップＳ１１からＳ１４までの処理（破線の矩形（Ａ）で囲んだ処理）は、カメラ機能とＱＲコード解析機能が保護者端末３に備えられていることが前提である。そのため、これらの機能が備えられていないときは、破線の矩形（Ｂ）で囲んだ処理を実行する。すなわち、図１３に例示するようにスケジュール結果が表示された画面にメールアドレスの入力用の欄があるので、ここに保護者端末３のメールアドレスを入力し予防接種スケジュール作成装置１に送信する（ステップＳ１５）。予防接種スケジュール作成装置１はこのメールアドレス宛にスケジュール結果をメールで送信する（ステップＳ１６）。スケジュールの送信に代えて、専用サイトのＵＲＬを送信してもよい。処理（Ａ）と処理（Ｂ）のいずれかを実行すればよい。
【００４５】
以上、医療機関に備えられている端末２を介して予防接種スケジュール作成装置１にアクセスしてから、自分の保護者端末３に作成済みのスケジュールを保存するまでの一連の処理の流れを説明した。
【００４６】
この実施形態は、ユーザが医療機関に受診や検診に訪れたときに待ち時間を利用して待合室などに備え付けられた端末２を介して予防接種スケジュール作成装置１のサービスの提供を受ける点に特徴のひとつがある。入力条件によっては、ユーザが医薬の専門知識が無いならば、何を入力してよいのか迷うことがある。この場合、看護師などの業務の合間を見計らって、その助言を得ながら入力すればよい。このように専門家のアドバイスを受けることができるので、かなり詳細な任意的条件でもユーザ入力が可能となり、システムは自動化のための条件を、曖昧さを伴わずに入手できる。
本システムＳは、看護師などが主体となって保護者の確認を得ながら条件を入力し、スケジュールを取得してもよい。従来の手作業に伴う煩雑さに比べ、看護師などの負担が大幅に軽減される。そのうえ、不注意によるミスの発生が防止でき、条件入力時に保護者にワクチンの概要などの説明もできるので極めて有用なシステムである。
【００４７】
《第２の実施形態》
この実施形態では、医療機関端末を利用せずに、保護者端末から予防接種スケジュール作成装置１に直接アクセスして入力操作をし、スケジュール結果を取得する点で第１の実施形態と相違する。
保護者によっては医薬の専門知識のある人がいる。また、親戚や友人知人に医師などがいて気軽に相談できる人もいる。このような保護者にとっては、自分の端末から任意的条件を入力・送信し、スケジュール結果を受信できることは都合がよい。スケジュールの新規作成や更新の都度、そのためだけの目的で医療機関を訪問しなくてもすむからである。もちろん、保護者に前述のような医薬の専門知識などがなくても、ワクチンの接種条件を逸脱することなくスケジュールを得ることが可能になる。
なお、この実施形態は、第１の実施形態と置き換わるものではなく、保護者の都合によっていずれの実施形態を利用することもできる。そのため、システム構成（図１参照）やデータ構造は第１の実施形態と同様である。
【００４８】
図１４に従い、この実施形態のシステムによる処理フローを説明する。
ユーザは保護者端末３を介して、予防接種スケジュール作成装置１が本システムのために開設しているウェブサイトにアクセスすると、図７に例示するようなウェブページが送信されてくるので、認証情報としてユーザＩＤとパスワードを入力し予防接種スケジュール作成装置１に送信する（ステップＳ１０１）。
ユーザＩＤとパスワードは予めこのサービスの利用登録を申し込んだときに取得・設定したものでもよく、初めてこのサービスを利用する際に予防接種スケジュール作成装置１によってユーザＩＤを生成してもらい、パスワードを設定してもよい。予防接種スケジュール作成装置１は認証情報によりユーザ認証を行ったうえで図８に例示するような登録用ページの送信をする（ステップＳ１０２）。ユーザは接種対象者である乳幼児の生年月日や性別などの情報を入力する（ステップＳ１０３）。
入力情報が送信される（ステップＳ１０４）と、予防接種スケジュール作成装置１はこれらの情報がユーザ情報ＤＢ１１３に未登録であれば登録し、登録済であれば、送信されてきた情報とユーザ情報ＤＢ１１３に登録済の情報と照合する。
【００４９】
予防接種スケジュール作成装置１は、ユーザによる各種の条件を入力するための画面データを送信する（ステップＳ１０５）。ユーザは保護者端末３の画面に表示された入力用画面を介して条件を入力する（ステップＳ１０６）。入力された情報は予防接種スケジュール作成装置１側へ送信される（ステップＳ１０７）。
このステップＳ１０５〜Ｓ１０７までの処理は必要回数だけ繰り返される。
予防接種スケジュール作成装置１は、保護者端末３から送信されてきた情報と予防接種情報ＤＢ１１２から取り出した情報に基づいてスケジュールを作成する（ステップＳ１０８）。ステップＳ１０８において、ユーザ情報ＤＢ１１３を参照して作成済のスケジュールがあるときは、送信されてきた入力情報および予防接種情報ＤＢ１１２から取り出した情報に基づいて既存スケジュールを修正する。
予防接種スケジュール作成装置１は保護者端末３に作成あるいは修正したスケジュール結果を送信し（ステップＳ１０９）、保護者端末２は受信したスケジュール結果を画面表示し、必要であればメモリに保存する（ステップＳ１１０）。
【００５０】
上記の実施形態は、あくまで例示にすぎない。例えば、処理の流れ、データ構造、画面の遷移や画面レイアウト等につき、様々な変形例が考えられ、それらも本発明の範囲内にある。
上記の実施形態の説明の中で特に言及しなかった点をいくつか補足する。
本システムＳの運用開始後に、新たな流行ワクチンの接種が追加されるようになった場合、予防接種スケジュール作成装置１は、予防接種情報ＤＢ１１２を最新の情報に更新する必要があることは言うまでもない。更新されたときは、保護者端末３や医療機関端末２にその旨をメール等で通知し、最新情報について情報提供をするとよい。
ワクチンの接種予定日が近づいたならば、メール等で保護者端末３宛てに通知したり、保護者端末３からの接種終了のメール連絡を受け付けたり、ユーザへのサービス機能を充実させてもよい。
ユーザの引越しなどで初回の作成時とは異なる医療機関の端末２からシステムにアクセスをし、スケジュールの更新をすることが考えられる。この場合、医療機関の端末ＩＤが異なっても、ユーザＩＤが本システムＳに登録されていれば問題はない。
【００５１】
なお、上記の説明では課金処理については言及していない。医療機関がシステム利用料として本システムＳの事業者へ支払う場合、ユーザがシステム利用料を事業者へ支払う場合などに応じて課金処理が異なってくるが、事業者と医療機関あるいはユーザとの取り決めに従い処理をすればよい。
【産業上の利用可能性】
【００５２】
ユーザの任意で指定された条件を適切に反映し、且つ同時接種を含む予防接種のスケジュールが自動作成できるシステムとして、乳幼児の保護者、医療機関、あるいは行政機関などの関係者からの利用が期待できる。
【符号の説明】
【００５３】
Ｓ：予防接種スケジュール作成システム
１：予防接種スケジュール作成装置
１１：記憶部
１１１：医療機関データベース
１１２：予防接種情報データベース
１１３： ユーザ情報データベース
１２：制御部
１２１：スケジュール作成要求受信手段
１２２：スケジュール作成手段
１２３：データコード生成手段
１２４：スケジュール送信手段
１２５：条件設定画面提供手段
１２６：メール連絡手段
１３：通信インターフェース部
２：医療機関端末
３：保護者端末
Ｎ：インターネット
【図１】
2014096001.tif 000003
【図２】
2014096001.tif 000004
【図３】
2014096001.tif 000005
【図４】
2014096001.tif 000006
【図５】
2014096001.tif 000007
【図６】
2014096001.tif 000008
【図７】
2014096001.tif 000009
【図８】
2014096001.tif 000010
【図９】
2014096001.tif 000011
【図１０】
2014096001.tif 000012
【図１１】
2014096001.tif 000013
【図１２】
2014096001.tif 000014
【図１３】
2014096001.tif 000015
【図１４】
2014096001.tif 000016